(57)【要約】  【課題】  同一筐体内で直径、長さが異なる乾電池のいずれかを収容でき、また、同種類の乾電池同士や直径が異なる乾電池同士を組合せた収容ができ、前記乾電池を取出し易くかつ安定した収容を可能とした構造を提供すること。  【解決手段】  機器本体に電池ケース２を装着する枠体６を構成し、前記電池ケース２の両側面のガイド軸２ｂ、２ｃに対応するように前記枠体６の両側面にガイド穴６ａ、６ｂを設け、前記電池ケース２の底面に、横幅方向に単一形乾電池を収容する第一位置決めリブ２ｇと、高さ方向に単二形乾電池または単三形乾電池を収容する第二位置決めリブ２ｈとを備え、前記電池ケース２の開口面の電池蓋２ａに、前記単一形乾電池の側面押さえ機能を有する側面押さえ部２ｅｂと、前記単二形乾電池または、および前記単三形乾電池の位置決め機能を有する位置決め部２ｅａを備えるようにした。【選択図】  図５
2006019109.tif 000002
【特許請求の範囲】
【請求項１】
単一形乾電池、単二形乾電池、単三形乾電池を選択的に収容する電池ケースと、同電池ケースの開口面を覆う電池蓋と、前記電池ケースを機器本体に装着する装着部を備えた乾電池収容装置において、前記電池ケースは、前記単二形乾電池または、および前記単三形乾電池の収容状態が、前記単一形乾電池の収容時の電極軸方向に対し交差する方向を電極軸方向として収容されるように形成され、前記電池蓋は、前記単一形乾電池の側面押さえ機能を有する側面押さえ部と、前記単二形乾電池または、および前記単三形乾電池の位置決め機能を有する位置決め部を備えたことを特徴とする乾電池収容装置。
【請求項２】
前記位置決め部を前記電池蓋上に貫通する開口部で構成し、前記側面押さえ部を前記開口部の周縁より垂下した突起部で構成したことを特徴とする請求項１記載の乾電池収容装置。
【請求項３】
前記電池ケースの底面に、前記側面押え部に対応する前記単一形乾電池を位置決めする第一位置決めリブと、前記位置決め部に対応する前記単二形乾電池または、および前記単三形乾電池を位置決めする第二位置決めリブとを設けたことを特徴とする請求項１または請求項２記載の乾電池収容装置。
【請求項４】
前記電池ケースの底面に、前記側面押え部および前記位置決め部に対応する前記単一形乾電池、前記単二形乾電池および前記単三形乾電池を位置決めする位置決めリブを設けたことを特徴とする請求項１または請求項２記載の乾電池収容装置。
【請求項５】
前記装着部を両側面にガイド穴を備えた枠体で構成し、前記電池ケースの両側面に前記ガイド穴に対応するガイド軸を設けてなり、前記電池ケースを前記ガイド穴に沿って摺動可能としたことを特徴とする請求項１乃至請求項４記載の乾電池収容装置。
【発明の詳細な説明】
【技術分野】
【０００１】
本発明は、異種類の乾電池を収容できるようにした乾電池収容装置に係わり、より詳細には、同一筐体内で直径、長さが異なる乾電池のいずれかを収容でき、また、同種類の乾電池同士や直径が異なる乾電池同士を組合せた収容ができ、前記乾電池を取出し易くかつ安定した収容を可能とする構造に関する。
【背景技術】
【０００２】
従来、異種類の乾電池を収容できるようにした乾電池収容ケースは、例えば、防災無線関連機器等に用いられ、単一形乾電池を長辺方向に収容できるケースに、単二形乾電池から単四形乾電池までを長辺方向に対して垂直に挿入する領域を設け、各乾電池を電気的に並列接続するようにした構成となっている（例えば、特許文献１参照）。
【０００３】
前記乾電池収容ケースによれば、緊急時に備えて前記単一形乾電池から前記単四形乾電池のいずれかを使用でき、各乾電池に共通する占有部分を有した省スペース構造になっている。
【０００４】
しかしながら、前記乾電池収容ケースでは、省スペース構造になっている反面、前記ケースに対する各乾電池の挿入方向が共通し、前記ケースの開口面に沿って前記単二形乾電池から前記単四形乾電池までを垂直に挿入する前記領域の区画形成によって密集した構造となっているため、各乾電池が取出し難いという問題点があった。
【０００５】
また、前記ケースの前記防災無線関連機器への組込み構造によっては、前記防災無線関連機器を携帯使用し、振動を伴うような場合等に各乾電池の位置ずれを起こし、安定した収容状態にならないという問題点があった。
【０００６】
【特許文献１】特開平１０−００３８９４号公報
【発明の開示】
【発明が解決しようとする課題】
【０００７】
本発明は上記問題点に鑑み、同一筐体内で直径、長さが異なる乾電池のいずれかを収容でき、また、同種類の乾電池同士や直径が異なる乾電池同士を組合せた収容ができ、前記乾電池を取出し易くかつ安定した収容を可能とした構造を提供することを目的とする。
【課題を解決するための手段】
【０００８】
本発明は上記課題を解決するため、単一形乾電池、単二形乾電池、単三形乾電池を選択的に収容する電池ケースと、同電池ケースの開口面を覆う電池蓋と、前記電池ケースを機器本体に装着する装着部を備えた乾電池収容装置において、前記電池ケースは、前記単二形乾電池または、および前記単三形乾電池の収容状態が、前記単一形乾電池の収容時の電極軸方向に対し交差する方向を電極軸方向として収容されるように形成され、前記電池蓋は、前記単一形乾電池の側面押さえ機能を有する側面押さえ部と、前記単二形乾電池または、および前記単三形乾電池の位置決め機能を有する位置決め部を備えた構成となっている。
【発明の効果】
【０００９】
本発明によれば、電池蓋を、単一形乾電池の側面押さえ機能を有する側面押さえ部と、単二形乾電池または、および単三形乾電池の位置決め機能を有する位置決め部を備えた構成としたので、同一筐体内で直径、長さが異なる乾電池のいずれかを収容でき、また、同種類の乾電池同士や直径が異なる乾電池同士を組合せた収容ができ、前記乾電池を取出し易くかつ安定した収容を可能とした構造となる。
【発明を実施するための最良の形態】
【００１０】
以下、本発明の実施の形態を、添付図面に基づいた実施例として詳細に説明する。図１は本発明による乾電池収容装置の機器本体の外観を示す図で（ａ）は斜視図、（ｂ）は背面図、（ｃ）は上面図、図２は本発明による乾電池収容装置の電池ケースの外観を示す図で（ａ）は斜視図、（ｂ）は別の斜視図、（ｃ）は（ｂ）の正面からみた正面図、図３は本発明による乾電池収容装置の電池ケースの別の外観を示す図で（ａ）は斜視図、（ｂ）は上面図、（ｃ）は別方向からみた斜視図、図４は本発明による乾電池収容装置の機器本体に取付けた枠体の外観を示す図で（ａ）は斜視図、（ｂ）は正面図、（ｃ）は別方向からみた斜視図、図５は本発明による乾電池収容装置の機器本体に取付けた枠体に電池ケースを装着した状態を示す図で（ａ）は斜視図、（ｂ）は正面図である。
【００１１】
図６は本発明による乾電池収容装置の乾電池の未収容状態を示す図で（ａ）は電池ケースを引き出した状態の側断面図、（ｂ）は電池ケースを収納した状態の側断面図、図７は本発明による乾電池収容装置に単一形乾電池を収容した状態を示す図で（ａ）は斜視図、（ｂ）は側面図、図８は本発明による乾電池収容装置に単一形乾電池を収容した状態を示す別の図で（ａ）は側断面図、（ｂ）は別の側断面図、図９は本発明による乾電池収容装置に単一形乾電池を収容した状態を示す別の図で（ａ）は正面側断面図、（ｂ）は上面側断面図、（ｃ）は側断面図、図１０は本発明による乾電池収容装置に単三形乾電池を収容した状態を示す図で（ａ）は斜視図、（ｂ）は側面図、図１１は本発明による乾電池収容装置に単三形乾電池を収容した状態を示す別の図で（ａ）は側断面図、（ｂ）は別の側断面図、図１２は本発明による乾電池収容装置に単三形乾電池を収容した状態を示す別の図で（ａ）は正面側断面図、（ｂ）は側断面図である。
【実施例１】
【００１２】
本発明による乾電池収容装置は電池ケースと枠体とをそれぞれ備え、前記電池ケースを前記枠体によって機器本体に摺動可能に装着するように構成され、前記電池ケースに単一形乾電池、単二形乾電池、単三形乾電池のいずれかを選択的に２本ずつ収容する。
【００１３】
まず、図１（ａ）で示すように、機器本体１は、例えば、市町村防災無線システムで各家庭に設置される戸別受信機本体として、前面ケース１ａと背面ケース１ｂを組み合わせた箱状に構成され、前記前面ケース１ａの下部に前記電池ケースを覆い保護する電池パネル１ｃを備えている。
【００１４】
また、前記機器本体１は、図１（ｂ）及び（ｃ）で示すように、前記背面ケース１ｂの下部に壁掛け用ホルダ１ｄが取付けられ、屋内で前記機器本体１を壁に掛けて戸別放送の受信等に使用できるようになっている。
【００１５】
前記電池ケース２は、図２（ａ）に示すように、上部を開口面とする箱状に構成され、
この開口面に開閉可能に設け、前記単一形乾電池の側面押さえ機能を有する側面押さえ部と、前記単二形乾電池または、および前記単三形乾電池の位置決め機能を有する位置決め部を備えた電池蓋２ａを備えている。
【００１６】
前記電池ケース２の両外側の後端上部と後端下部にそれぞれ、前記枠体に摺動可能に装着するためのガイド軸２ｂ、２ｃを備えている。
【００１７】
また、前記電池蓋２ａには、前記位置決め部として前記電池蓋２ａ上に貫通する開口部２ｅａを備え、前記側面押え部として前記開口部２ｅａの周縁より垂下した突起部２ｅｂを備えている。そして、前記電池蓋２ａは、前記電池ケース２の開口面の前端両側で軸支する軸２ｄを設けた構成となっており、前記電池蓋２ａの横幅方向に、前記開口部２ｅａを２個並べて設け、前記単二形乾電池または前記単三形乾電池が縦方向に挿入され、前記電池ケース２の高さ方向にガイドし、前記突起部２ｅｂが前記単一形乾電池を前記電池ケース２の横幅方向に収容し押えるようになっている。
【００１８】
前記電池ケース２の両外側には前記単一形乾電池、前記単二形乾電池、前記単三形乾電池に共通に用いられる乾電池接点バネ２ｆの一部が露出し、後述する前記枠体に固定された本体接点バネ３と接触するようになっている。
【００１９】
そして、図２（ｂ）及び（ｃ）に示すように、前記電池ケース２の前記乾電池接点バネ２ｆは、前記電池ケース２を前記機器本体１へ収納時に、前記枠体に固定されている本体接点バネ３と接触して導通するようになっており、前記本体接点バネ３には前記機器本体１内の図示を省略した回路基板に接続する配線ケーブル４が繋がっている。
【００２０】
また、前記電池ケース２の後ろ側面部分から前記開口部２ｅａにかけた位置に、前記電池ケース２を前記機器本体１へ収納時に、前記単二形乾電池及び前記単三形乾電池に共通に用いられ、２個の前記開口部２ｅａに前記単二形乾電池または前記単三形乾電池を収容すると、収容した２本の乾電池を直列に接続する前記機器本体１に固定された直列接続用バネ５を配置するようになっている。
【００２１】
前記電池蓋２ａの前記開口部２ｅａおよび前記突起部２ｅｂによる形状は、図２（ａ）及び（ｃ）に示すように、前記電池蓋２ａの前記開口部２ｅａの周縁から前記電池ケース２の高さ方向に垂下した前記突起部２ｅｂが、その断面形状が瓢箪型の筒となるように形成し、２つの円筒が一部分でオーバラップさせたような形状としてなり、左側の円筒に前記単二形乾電池を、右側の円筒に前記単三形乾電池を挿入するようになっており、前記突起部２ｅｂの下部の開口端を前記単一形乾電池の円筒外形に対応する半円形端部を形成し、前記電池蓋２ａで前記単一形乾電池を前記電池ケース２の高さ方向に押える機能を持たせている。
【００２２】
以上の説明では、前記電池ケース２の外観上の構成部分を説明したが、次に前記電池ケース２内部の構成部分を、図３（ａ）〜図３（ｃ）を用いて説明する。
【００２３】
前記電池ケース２は、前記単二形乾電池または、および前記単三形乾電池の収容状態が、前記単一形乾電池の収容時の電極軸方向に対し交差する方向を電極軸方向として収容されるように形成されている。
【００２４】
まず、前記乾電池接点バネ２ｆは、図３（ａ）に示すように、前記電池ケース２の両側面から底面の中央部に沿って、ほぼ直角に曲げられた２つの板バネからなり、それぞれの板バネは、その側面に前記単一形乾電池の電極となる単一接点部２ｆａ、底面に前記単二形乾電池及び前記単三形乾電池共用の電極となる単二・単三接点部２ｆｂとして機能し、前記単一形乾電池から前記単三形乾電池にそれぞれ乾電池接点バネを備えた従来の乾電池収容ケースに比べて、２つの乾電池接点バネ２ｆで済むので部品点数を削減することができる。
【００２５】
前記電池ケース２内部の底面には、前記単一形乾電池を収容するために、前記電池ケース２の横幅方向に前記単一形乾電池の電極軸方向が一致するように固定し、前記単一形乾電池の電極軸が前記単一接点部２ｆａと一致する高さとなるように位置を決める第一位置決めリブ２ｇが所定間隔で形成されている。
【００２６】
前記第一位置決めリブ２ｇは、前記電池ケース２内部の底面中央に前記単一形乾電池の円筒外形に対応する２つの半円形端部と、底面両側に前記乾電池接点バネ２ｆの配置のために中心部分を切欠き、前記単一形乾電池の円筒外形に対応する２つの半円形端部を備えた形状になっている。
【００２７】
そして、前記第一位置決めリブ２ｇの前記半円形端部上で支持されるように、前記単一形乾電池が収容されることとなる。
【００２８】
次に、図３（ａ）及び（ｂ）に示すように、前記単二形乾電池または前記単三形乾電池を収容するために、前記電池ケース２の高さ方向に、前記単一形乾電池の電極軸方向に対し交差する方向（本実施例では直交する方向）の前記単二形乾電池または前記単三形乾電池の電極軸方向と一致するように固定し、前記単二形乾電池または前記単三形乾電池の電極軸が前記単二・単三接点部２ｆｂと一致するように位置を決める第二位置決めリブ２ｈが、前記第一位置決めリブ２ｇの間に形成されている。
【００２９】
前記第二位置決めリブ２ｈは、前記乾電池接点バネ２ｆの配置のために切欠きを有し、前記電池蓋２ａの前記開口部２ｅａおよび前記突起部２ｅｂに対応した位置に同様な形状の瓢箪型のリブを、前記電池ケース２の底面から立設した構造になっており、瓢箪型のリブで形成される左側の円筒部２ｉに単二乾電地を収容し、右側の円筒部２ｉに前記単三形乾電池を収容する構成となっている。
【００３０】
このように、前記電池蓋２ａの前記開口部２ｅａおよび前記突起部２ｅｂによる形状と前記第二位置決めリブ２ｈの形状とを対応させて瓢箪型にすることで、前記単二形乾電池と前記単三形乾電池の収容部分の一部をオーバラップさせることによって、前記単二形乾電池と前記単三形乾電池を同時に挿入されないようにしている。
【００３１】
本実施例では、さらに安定して前記単一形乾電池を固定するため、前記第二位置決めリブ２ｈを前記単一形乾電池の円筒外形に対応する円形端部を備えた形状にしており、前記第一位置決めリブ２ｇの機能も兼ねたものとなり、前記単一形乾電池の土台として強化されている。
【００３２】
次に、図３（ａ）乃至（ｃ）に示すように、前記電池ケース２の後ろ側の左上部に切欠き部分が形成され、この切欠き部分に対応して前記電池ケース２を前記機器本体１に保持する電池ケース側保持部２ｊを備え、例えば、キャッチからなっている。
【００３３】
以上のように、前記電池ケース２は、前記電池蓋２ａの前記開口部２ｅａから挿入された前記単二形乾電池または前記単三形乾電池は、前記第二位置決めリブ２ｈによる円筒部２ｉ内に固定され、前記開口部２ｅａおよび前記突起部２ｅｂと、前記第二位置決めリブ２ｈによって上下で前記単二形乾電池または前記単三形乾電池を縦向きに固定するようにして倒れ防止を図っている。
【００３４】
また、前記電池ケース２は、前記電池蓋２ａを開き挿入された前記単一形乾電池は、前記第一位置決めリブ２ｇによる半円形端部に固定され、前記電池蓋２ａを閉じた時に前記突起部２ｅｂによる半円形端部によって前記単一形乾電池を上部から押えるようにして、安定した収容を可能とし、上部への飛び出し防止を図っている。
【００３５】
次に、前記機器本体１に前記電池ケース２を摺動可能に装着するための前記枠体について、図４を用いて説明する。
【００３６】
前記枠体６は、前記機器本体１に前記電池ケースを装着する装着部を構成し、前面が開放された箱状で、前記電池パネル１ｃに対応する位置に、前記機器本体１の前記背面ケース１ｂ内下部に取付ける取付部によって取付けられている。
【００３７】
前記枠体６の上部及び後部にかけた中央の側面には、前記直列接続用バネ５が係止され、前記枠体６の後部の左側面には、前記電池ケース側保持部２ｊに対応する本体側保持部６ｃを取付けている。
【００３８】
そして、前記枠体６の両側の上部と下部それぞれに、前記電池ケース２の前記ガイド軸２ｂ、２ｃに対応するガイド穴６ａ、６ｂを備え、前記ガイド穴６ａ、６ｂは、前記電池ケース２を引出しできるように横長のスリット状となっている。
【００３９】
このように、前記ガイド穴６ａ、６ｂに沿って前記ガイド軸２ｂ、２ｃがスライドするように、前記電池ケース２を収納または引き出しを可能にしている。
【００４０】
更に、上部の前記ガイド穴６ａの前端部がやや下方に傾斜した円弧に形成され、前記電池ケース２の下部の前記ガイド軸２ｃを中心にして、前記電池ケース２を引出したときに、最前部で前傾するようになっている。
【００４１】
また、前記枠体６の両側には、前記ガイド穴６ａと前記ガイド穴６ｂとの間に、前記本体接点バネ３が固定されており、前記本体接点バネ３の中央に凸部を備え、前記電池ケース２を収納したときに前記乾電池接点バネ２ｆと接触し導通するようになっている。
【００４２】
これまでに説明してきた前記機器本体１の前記背面ケース１ｂ、前記電池ケース２及び前記枠体６を組み立てて、前記機器本体１の前記背面ケース１ｂに取付けた前記枠体６に前記電池ケース２を装着した状態を示すと、図５（ａ）及び（ｂ）のようになる。
【００４３】
さらに、図５に示す装着状態に、前記機器本体１の前記前面ケース１ｂ、前記電池パネル１ｃを加えて組み立て、その側断面を示すと、図６（ａ）及び（ｂ）のようになる。
【実施例２】
【００４４】
次に、電池ケース２内に単一形乾電池を収容した実施例を、図７乃至図９に基づいて説明する。
【００４５】
まず、図７（ａ）及び（ｂ）に示すように、機器本体１の電池パネル１ｃを取り外し、前記電池ケース２を手前に引出した状態で、電池蓋２ａを手前に軸２ｄを軸にして回動させて開くことによって、前記前記単一形乾電池の収容部分が現れ、前記単一形乾電池を前記電池ケース２の上部から取り出すことができるようになっている。
【００４６】
そして、図８（ａ）及び（ｂ）で示すように、枠体６の本体側保持部６ｃから前記電池ケース２の電池ケース側保持部２ｊが外れ、前記電池ケース２をガイド穴６ａ、６ｂに沿ってスライドさせ前面側に引出すと、上部の前記ガイド穴６ａは、下部の前記ガイド穴６ｂより縦幅が狭く、横幅が長く形成され、かつ、上部の前記ガイド穴６ａが前端部でやや下方に傾斜した円弧に形成されており、また、これに対応してガイド軸２ｂがガイド軸２ｃより直径が短くなっていることから、前記電池ケース２を最前部で前傾した状態で支持され、また、前記単一形乾電池は第二位置決めリブ２ｈと第一位置決めリブ２ｇとにより前記電池ケース２の底面より上側で支持されるようになっているため、前記電池ケース２から前記単一形乾電池を前面側で上部より取り出し易くしている。
【００４７】
さらに、図９（ａ）乃至（ｃ）で示すように、前記電池ケース２内に前記単一形乾電池が収容された状態では、前記単一形乾電池は前記第二位置決めリブ２ｈ及び前記第一位置決めリブ２ｇと、電池蓋２ａの２個の突起部２ｅｂの各先端部分によって、前記電池ケース２の上下から安定良く保持されるようにしている。
【実施例３】
【００４８】
次に、電池ケース２内に単三形乾電池を収容した実施例を、図１０乃至図１２に基づいて説明する。
【００４９】
まず、図１０（ａ）及び（ｂ）に示すように、機器本体１の電池パネル１ｃを取り外し、前記電池ケース２を手前に引出した状態で、電池蓋２ａの２個の開口部２ｅａおよび突起部２ｅｂのうち、それぞれ右側の円筒部に挿入されている前記単三形乾電池を前記電池ケース２の上部から取り出すことができるようになっている。
【００５０】
そして、図１１（ａ）及び（ｂ）で示すように、実施例２と同様に、枠体６の本体側保持部６ｃから前記電池ケース２の電池ケース側保持部２ｊが外れ、前記電池ケース２をガイド穴６ａ、６ｂに沿ってスライドさせ前面側に引出すと、前記電池ケース２を最前部で前傾した状態で支持され、また、図１０（ａ）で示すように、前記単三形乾電池は前記電池蓋２ａの２個の前記開口部２ｅａおよび前記突起部２ｅｂのうち、それぞれ左側の円筒部によって空間が出来ているため、前記電池ケース２から前記単三形乾電池を前面側で上部より取り出し易くしている。
【００５１】
さらに、図１２（ａ）及び（ｂ）で示すように、前記電池ケース２内に前記単三形乾電池が収容された状態では、前記単三形乾電池は前記第二位置決めリブ２ｈと、電池蓋２ａの２個の前記開口部２ｅａおよび前記突起部２ｅａの形状に沿って、前記電池ケース２の上下から安定良く保持されるようにしている。
【実施例４】
【００５２】
実施例２及び実施例３では、電池ケース２内に２本の単一形乾電池または２本の単三形乾電池を収容した場合について説明したが、本発明はこれに限るものではなく、２本の単二形乾電池を収容した場合でもよく、機器本体１の電池パネル１ｃを取り外し、前記電池ケース２を手前に引出した状態で、電池蓋２ａの２個の開口部２ｅａおよび突起部２ｅｂのうち、それぞれ左側の円筒部に挿入された前記単二形乾電池を前記電池ケース２の上部から取り出すようにしてもよい。
【００５３】
また、前記電池蓋２ａの２個の前記開口部２ｅａおよび前記突起部２ｅｂに、２本の前記単二形乾電池または２本の前記単三形乾電池を収容した場合について説明したが、本発明はこれに限るものではなく、２個の前記開口部２ｅａおよび前記突起部２ｅａのうち、一方に前記単二形乾電池を収容するとともに、他方に前記単三形乾電池を収容した場合も適用できる。
【実施例５】
【００５４】
さらに、実施例１から実施例４における電池ケース２では、前記電池ケース２の開口端面に備えた電池蓋２ａに２個の開口部２ｅａおよび突起部２ｅｂを設け、前記電池ケース２の底面に、第二位置決めリブ２ｈと前記第一位置決めリブ２ｇとを２つずつ設けて、前記単一形乾電池から前記単三形乾電池までを選択的に２本ずつ収容した場合について説明したが、本発明はこれに限るものではなく、前記電池蓋２ａに１個の前記開口部２ｅａおよび前記突起部２ｅｂを設け、前記電池ケース２の底面に、前記第二位置決めリブ２ｈと前記第一位置決めリブ２ｇとを１つずつ設けて、前記単一形乾電池から前記単三形乾電池までを選択的に１本収容した場合も適用できる。
【００５５】
この場合には、図２（ｂ）に示した機器本体１に固定された直列接続用バネ５の替わりに、前記直列接続用バネ５を片側半分としたような乾電池接点バネを配置し、同乾電池接点バネに前記機器本体１内の図示を省略した回路基板に接続する配線ケーブルを繋げるようにするとともに、図３（ａ）に示した電池ケース２の両側面から底面の中央部に沿って、ほぼ直角に曲げられた２個の板バネからなる乾電池接点バネ２ｆの替わりに、１組の前記第二位置決めリブ２ｈ及び前記第一位置決めリブ２ｇに対応する大きさで、前記乾電池接点バネ２ｆのような２個の板バネを配置し、同乾電池接点バネ２ｆの前記電池ケース２の底面側が前記単二形乾電池または前記単三形乾電池の電極となるように、一方の板バネに単二接点部を、他方の板バネに単三接点部の機能を持たせ、前記単一形乾電池から前記単三形乾電池までのいずれかを収容しても、正電極と負電極になるように配線接続回路を設計するようにする。
【実施例６】
【００５６】
また、実施例１から実施例５における電池ケース２では、第一位置決めリブ２ｇの配置に加えて、さらに安定して単一形乾電池を固定するため、第二位置決めリブ２ｈを前記単一形乾電池の円筒外形に対応する円形端部を備えた形状にし、前記第一位置決めリブ２ｇの機能も兼ねたものとしたが、本発明はこれに限るものではなく、前記電池ケース２の底面に、側面押え部および位置決め部に対応する前記単一形乾電池、単二形乾電池および単三形乾電池を位置決めする位置決めリブを設けることにより、前記第一位置決めリブ２ｇと前記第二位置決めリブ２ｈの機能を持った前記位置決めリブのみの配置とした場合も適用でき、前記単一形乾電池、前記単二形乾電池および前記単三形乾電池の土台として、前記電池ケース２の形成、形状を簡単にすることができる。
【００５７】
以上説明してきた本発明によれば、同一筐体内で直径、長さが異なる乾電池のいずれかを収容でき、また、同種類の乾電池同士や直径が異なる乾電池同士を組合せた収容ができ、前記乾電池を取出し易くかつ安定した収容を可能とする効果がある。
【００５８】
また、本発明によれば、直径、長さが異なる異種類の乾電池を同一筐体内に収容するためのアダプタ等を別体で設ける必要がなく、部品点数の削減や使い勝手の良さ等を実現できる効果がある。
【図面の簡単な説明】
【００５９】
【図１】本発明による乾電池収容装置の機器本体の外観を示す図で（ａ）は斜視図、（ｂ）は背面図、（ｃ）は上面図である。
【図２】本発明による乾電池収容装置の電池ケースの外観を示す図で（ａ）は斜視図、（ｂ）は別の斜視図、（ｃ）は（ｂ）の正面からみた正面図である。
【図３】本発明による乾電池収容装置の電池ケースの別の外観を示す図で（ａ）は斜視図、（ｂ）は上面図、（ｃ）は別方向からみた斜視図である。
【図４】本発明による乾電池収容装置の機器本体に取付けた枠体の外観を示す図で（ａ）は斜視図、（ｂ）は正面図、（ｃ）は別方向からみた斜視図である。
【図５】本発明による乾電池収容装置の機器本体に取付けた枠体に電池ケースを装着した状態を示す図で（ａ）は斜視図、（ｂ）は正面図である。
【図６】本発明による乾電池収容装置の乾電池の未収容状態を示す図で（ａ）は電池ケースを引き出した状態の側断面図、（ｂ）は電池ケースを収納した状態の側断面図である。
【図７】本発明による乾電池収容装置に単一形乾電池を収容した状態を示す図で（ａ）は斜視図、（ｂ）は側面図である。
【図８】本発明による乾電池収容装置に単一形乾電池を収容した状態を示す別の図で（ａ）は側断面図、（ｂ）は別の側断面図である。
【図９】本発明による乾電池収容装置に単一形乾電池を収容した状態を示す別の図で（ａ）は正面側断面図、（ｂ）は上面側断面図、（ｃ）は側断面図である。
【図１０】本発明による乾電池収容装置に単三形乾電池を収容した状態を示す図で（ａ）は斜視図、（ｂ）は側面図である。
【図１１】本発明による乾電池収容装置に単三形乾電池を収容した状態を示す別の図で（ａ）は側断面図、（ｂ）は別の側断面図である。
【図１２】本発明による乾電池収容装置に単三形乾電池を収容した状態を示す別の図で（ａ）は正面側断面図、（ｂ）は側断面図である。
【符号の説明】
【００６０】
１  機器本体
１ａ  前面ケース
１ｂ  背面ケース
１ｃ  電池パネル
１ｄ  壁掛け用ホルダ
２  電池ケース
２ａ  電池蓋
２ｂ  ガイド軸
２ｃ  ガイド軸
２ｄ  軸
２ｅａ  開口部（位置決め部）
２ｅｂ  突起部（側面押さえ部）
２ｆ  乾電池接点バネ
２ｆａ  単一接点部
２ｆｂ  単二・単三接点部
２ｇ  第一位置決めリブ
２ｈ  第二位置決めリブ
２ｉ  円筒部
２ｊ  電池ケース側保持部
３  本体接点バネ
４  配線ケーブル
５  直列接続用バネ
６  枠体（装着部）
６ａ  ガイド穴
６ｂ  ガイド穴
６ｃ  本体側保持部
【図１】
2006019109.tif 000003
【図２】
2006019109.tif 000004
【図３】
2006019109.tif 000005
【図４】
2006019109.tif 000006
【図５】
2006019109.tif 000007
【図６】
2006019109.tif 000008
【図７】
2006019109.tif 000009
【図８】
2006019109.tif 000010
【図９】
2006019109.tif 000011
【図１０】
2006019109.tif 000012
【図１１】
2006019109.tif 000013
【図１２】
2006019109.tif 000014